(57)【要約】【課題】本発明は、無線通信を用いた照明システムに関し、照明の明るさを一定の明るさ以上に保つことのできる照明システムを提供する。【解決手段】調光可能な照明装置の調光率を制御する照明システムであって、表示部と、ユーザが入力を行うための入力部と、表示部に調光率を指示するためのユーザインターフェースを表示させ、ユーザにより入力される前記調光率で調光するよう照明装置を制御する制御部とを備え、制御部は、ユーザインターフェースとして、照明装置が調光可能な調光率範囲のうち、所定の下限調光率未満は入力できないユーザインターフェース３００を表示させる。【選択図】図９
2019087387.tif 000002
【特許請求の範囲】
【請求項１】
調光可能な照明装置の調光率を制御する照明システムであって、
表示部と、
ユーザが入力を行うための入力部と、
前記表示部に調光率を指示するためのユーザインターフェースを表示させ、ユーザにより入力される前記調光率で調光するよう前記照明装置を制御する制御部とを備え、
前記制御部は、前記ユーザインターフェースとして、前記照明装置が調光可能な調光率範囲のうち、所定の下限調光率未満は入力できないユーザインターフェースを表示させる
ことを特徴とする照明システム。
【請求項２】
前記照明システムは、
前記下限調光率を保持する記憶部を備える
ことを特徴とする請求項１記載の照明システム。
【請求項３】
前記制御部は、前記下限調光率を指示するためのユーザインターフェースを前記表示部に表示させ、指示された下限調光率を前記記憶部に保持させる
ことを特徴とする請求項２記載の照明システム。
【請求項４】
前記下限調光率は、所定の特権ユーザのみが入力できるようセキュリティ保護されている
ことを特徴とする請求項３記載の照明システム。
【請求項５】
前記セキュリティ保護は、パスワードによる保護である
ことを特徴とする請求項４記載の照明システム。
【請求項６】
前記記憶部に保持された下限調光率は書き換え不能である
ことを特徴とする請求項２記載の照明システム。
【請求項７】
前記照明システムは、
前記照明装置を前記調光率で調光するよう制御する第１制御部を備える制御装置と、
前記表示部、前記入力部、及び、前記表示部に調光率を指示するためのユーザインターフェースを表示させ、入力された調光率を前記制御装置に送信する第２制御部を備える照明制御端末と
を備えることを特徴とする請求項１記載の照明システム。
【請求項８】
調光可能な照明装置の調光率を制御するための照明制御端末であって、
表示部と、
ユーザが入力を行うための入力部と、
前記表示部に調光率を指示するためのユーザインターフェースを表示させる制御部とを備え、
前記制御部は、前記ユーザインターフェースとして、前記照明装置が調光可能な調光率範囲のうち、所定の下限調光率未満は入力できないユーザインターフェースを表示させる
ことを特徴とする照明制御端末。
【発明の詳細な説明】
【技術分野】
【０００１】
本発明は、照明システムに関し、特に無線通信により照明装置を制御する技術に関する。
【背景技術】
【０００２】
複数の照明装置を無線通信により制御する照明システムが特許文献１に開示されている。特許文献１の照明システムでは、監視端末に表示させるユーザインターフェースにおけるスライドアイコンをユーザが操作することで、照明装置の調光率を変更することができる。
【先行技術文献】
【特許文献】
【０００３】
【特許文献１】特開２０１５−２０７３７４号公報
【発明の概要】
【発明が解決しようとする課題】
【０００４】
ところで、照明システムは、様々な業種の店舗等に導入されることが想定される。業種によっては、法規等の制限により、店舗内の照明装置による照明を、一定の明るさ以上に保ち続けることが要求されるものがある。しかしながら、特許文献１の照明システムでは、照明の明るさは容易に変更されてしまう。
【０００５】
上記問題に鑑み、本発明は、無線通信を用いた照明システムに関し、照明の明るさを一定の明るさ以上に保つことのできる照明システムを提供することを目的とする。
【課題を解決するための手段】
【０００６】
上記課題を解決するために本発明に係る照明システムは、調光可能な照明装置の調光率を制御する照明システムであって、表示部と、ユーザが入力を行うための入力部と、前記表示部に調光率を指示するためのユーザインターフェースを表示させ、ユーザにより入力される前記調光率で調光するよう前記照明装置を制御する制御部とを備え、前記制御部は、前記ユーザインターフェースとして、前記照明装置が調光可能な調光率範囲のうち、所定の下限調光率未満は入力できないユーザインターフェースを表示させる。
【発明の効果】
【０００７】
上述の構成により、本発明に係る照明システムは、照明の明るさが一定の明るさ未満に変更されることなく、一定の明るさ以上に保つことができる。
【図面の簡単な説明】
【０００８】
【図１】本発明の一実施形態に係る照明システム１の構成を概念的に示すブロック図
【図２】図１に示す照明装置ＬＦ１の構成を示すブロック図
【図３】図１に示すゲートウェイ５の構成を示すブロック図
【図４】図１に示すタブレット６の構成を示すブロック図
【図５】上限調光率及び下限調光率の設定手順を模式的に示す図
【図６】（ａ）初期設定ＵＩを示す図、（ｂ）認証ＵＩを示す図
【図７】（ａ）認証ＵＩにおけるパスワード入力を模式的に示す図、（ｂ）制限ＵＩを示す図
【図８】調光率の設定動作の手順を模式的に示す図
【図９】（ａ）上限調光率及び下限調光率が設定されている場合の調光ＵＩを示す図、（ｂ）上限調光率及び下限調光率が設定されていない場合の調光ＵＩを示す図
【発明を実施するための形態】
【０００９】
以下、本発明の一実施形態に係る照明システムについて図面を参照しながら説明する。
＜１．第１の実施形態＞
＜１．１．構成＞
＜１．１．１．照明システム１＞
図１は、本発明の一実施形態に係る照明システム１の構成を概念的に示すブロック図である。照明システム１は、図１に示す様に、１００台の照明装置ＬＦ１〜ＬＦ１００（以下「照明装置ＬＦ」と総称する）、及び照明制御システム２を備える。照明制御システム２は、ゲートウェイ５、及び、タブレット６を備える。
【００１０】
照明装置ＬＦは、それぞれ光源を備えており、ゲートウェイ５により送信される動作指示に応じ、光源の点灯、消灯、及び調光率変更などの動作を行う機能を有する。なお、照明装置の台数は、特に限定されず、１００台に限るものではない。ゲートウェイ５は、照明装置の動作を制御する機能を有する制御装置である。ゲートウェイ５は、無線通信を用いて照明装置に動作指示を送信する。タブレット６は、ユーザが照明システム１に対する動作指示を入力するためのユーザインターフェース（以下「ＵＩ」という）を備える照明制御端末である。タブレット６は、ユーザにより入力された動作指示を、無線通信を用いてゲートウェイ５に送信する。
【００１１】
照明システム１は、様々な業種の店舗等に導入されることが想定される。業種によっては、法規等の制限により、店舗内の照明装置による照明を、一定の明るさ以上に保ち続けることが要求されるものがある。照明システム１において、照明制御システム２が照明装置ＬＦを制御することにより、照明を一定の明るさ以上に保ち続け、変更されないようにすることが可能となる。以下、照明システム１の各構成について説明する。
＜１．１．２．照明装置ＬＦ＞
照明装置ＬＦ１〜ＬＦ１００は、同等の構成を有し、それぞれ固有の識別情報（ＩＤ、アドレスなど）などにより識別される。以下では、照明装置ＬＦ１〜ＬＦ１００の代表としての照明装置ＬＦ１について説明する。照明装置ＬＦ２〜ＬＦ１００については、特に説明が必要な場合を除き説明を省略する。
【００１２】
照明装置ＬＦ１は、図２に示すように、光源部４１、回路部４３、及びワイヤレスモジュール（以下「ＷＭ」という）部４４を備える。ＷＭ部４４は、着脱可能なモジュールであり、無線部４４ａ及び制御部４４ｂを備える。
【００１３】
光源部４１は、ＬＥＤ（Ｌｉｇｈｔ  Ｅｍｉｔｔｉｎｇ  Ｄｉｏｄｅ）で構成された光源である。なお、光源部４１は、照明用の光源を備えれば足り、有機ＥＬ（Ｅｌｅｃｔｒｏ  Ｌｕｍｉｎｅｓｃｅｎｃｅ）デバイスなどＬＥＤ以外の光源で構成されていてもよい。光源部４１は、入力される制御信号により制御され、点灯、消灯、調光率変更などの動作を行う。光源部４１は、０〜１００（％）の範囲の調光率で調光することが可能である。
【００１４】
回路部４３は、光源部４１及びＷＭ部４４を相互に接続する。
【００１５】
無線部４４ａは、無線通信を行う機能を有する。無線部４４ａは、無線通信により、ゲートウェイ５から送信された情報を受信する。また、無線部４４ａは、制御部４４ｂによる制御に従い情報を無線通信によりゲートウェイ５へ送信する。
【００１６】
制御部４４ｂは、ＩＣ（Ｉｎｔｅｇｒａｔｅｄ  Ｃｉｒｃｕｉｔ）により構成され、照明装置ＬＦ１の動作を制御する機能を有する。制御部４４ｂは、無線部４４ａを介して受信する動作指示に応じた制御信号を、回路部４３を介して光源部４１に出力する。
＜１．１．３．ゲートウェイ５＞
ゲートウェイ（以下「ＧＷ」という）５は、図３に示すように、無線通信部５１、有線通信部５２、制御部５３、ＲＯＭ（Ｒｅａｄ  Ｏｎｌｙ  Ｍｅｍｏｒｙ）５４、及びＲＡＭ（Ｒａｎｄｏｍ  Ａｃｃｅｓｓ  Ｍｅｍｏｒｙ）５５を備える。ＧＷ５の各機能は、ＲＯＭ５４からロードされてＲＡＭ５５に記憶されているプログラムを制御部５３が実行することにより実現される。
【００１７】
無線通信部５１は、無線通信を行う機能を有する。無線通信部５１は、具体的には、照明装置ＬＦ、及びタブレット６と無線により通信する。無線通信の方法（プロトコル）は、照明装置ＬＦに対する通信と、タブレット６に対する通信は同じでもよいが違っていても良く、例えば照明装置ＬＦに対しては低速のＩＥＥＥ８０２．１５．４系又はＩＥＥＥ８０２．１５．１系、タブレット６に対しては通常のタブレットに備わっているＩＥＥＥ８０２．１１系やＩＥＥＥ８０２．１５．１系を用いることができる。ただし「系」はアルファベットなどが付加された通信プロトコル（例えばＩＥＥＥ８０２．１５．１ｎ）も含むことを意味する。
【００１８】
有線通信部５２は、有線のネットワークケーブルを介してデータ通信を行う機能を有する。有線のネットワークは、例えば有線ＬＡＮ（Ｌｏｃａｌ  Ａｒｅａ  Ｎｅｔｗｏｒｋ）などである。例えば、複数のゲートウェイ５が協働して動作をするような場合などには、複数のゲートウェイ５同士が有線により接続される。このような場合に、有線通信部５２は、他のゲートウェイ５との間で有線通信を行い必要な情報を交換する。
【００１９】
制御部５３は、ＣＰＵ（Ｃｅｎｔｒａｌ  Ｐｒｏｃｅｓｓｉｎｇ  Ｕｎｉｔ）を備え、ＲＡＭ５５にロードされたプログラムを読み込み、読み込んだプログラムに応じて動作する。制御部５３は、タブレット６から無線通信部５１を介して受信する動作指示に応じて、照明装置ＬＦを制御するための動作指示を、無線通信部５１を用いた無線通信により、照明装置ＬＦそれぞれに送信する。
【００２０】
ＲＯＭ５４は、制御部５３を動作させるプログラムを格納する不揮発メモリである。
【００２１】
ＲＡＭ５５は、ＲＯＭ５４に格納されたプログラムがロードされる記憶装置である。
＜１．１．４．タブレット６＞
タブレット６は、図１に示すような長方形板状の外観を有する。タブレット６は、具体的には、本体部の正面にタッチパネルが嵌め込まれた可搬型の情報端末であり、一般的なタブレット端末が有する通信機能、データ処理機能、入出力機能、及び情報表示機能を一通り備える。
【００２２】
タブレット６は、図４に示すように、制御部６１、ＲＯＭ６２、ＲＡＭ６３、通信部６４、及びタッチパネル６５を備える。
【００２３】
ＲＯＭ６２は、書換不能領域６２ａ及び書換可能領域６２ｂを備える。なお、ＲＯＭ６２は、１個のデバイスで構成する必要はなく、書換不能な領域を備えるデバイスと、書換可能な領域を備えるデバイスなど複数のデバイスで構成してもよい。
【００２４】
書換不能領域６２ａは、１度データが書き込まれた後には、書き換えが不能な領域であり、プログラムＰＲを保持する。タブレット６の各機能は、書換不能領域６２ａからロードされてＲＡＭ６３に記憶されているプログラムＰＲを制御部６１が実行することにより実現される。なお、プログラムＰＲは、書換可能領域６２ｂに記憶することとしてもよい。
【００２５】
書換可能領域６２ｂは、書き換えが可能な領域であり、上限調光率ＵＬと下限調光率ＤＬとを保持する。上限調光率ＵＬと下限調光率ＤＬについては後述する。
【００２６】
タッチパネル６５は、情報を表示する表示部と、ユーザ指示を入力するための入力部とを組み合わせた電子部品である。表示部は、一例として液晶パネルである。また、入力部は、一例としてタッチパッドである。タッチパネル６５は、ユーザによる接触（タッチ）位置を制御部６１に通知する。
【００２７】
制御部６１は、ＣＰＵを備え、タッチパネル６５に表示させているＵＩ、画像と、タッチパネル６５から通知される接触位置とに基づいてユーザ指示を判断し、ユーザ指示に応じた処理を実行する。
【００２８】
通信部６４は、無線通信を行うデバイスである。通信部６４は、ゲートウェイ５と無線通信を行う。
＜１．２．動作＞
照明システム１は、一例として、照明装置による照明を一定の明るさ以上に保ち続けることが要求される店舗内に配されているものとする。そして、店のオーナーその他の管理者が、照明制御システム２、より具体的にはタブレット６を用いて下限調光率を設定する。そして、店員など、管理者以外の一般ユーザは、タブレット６を用いても、照明の調光率を下限調光率に設定することができないものとなっている。なお、照明制御システム２を用いることにより、上限調光率についても設定可能になっている。
【００２９】
以下に、図面を用いて、管理者による上限調光率及び下限調光率の設定動作、及び、一般ユーザによる調光動作の順に説明する。
＜１．２．１．管理者による上限調光率及び下限調光率の設定動作＞
図５は、上限調光率及び下限調光率の設定動作の手順を模式的に示す図である。
【００３０】
まず、管理者は、タブレット６に対し、初期設定を行うためのＵＩ（以下「初期設定ＵＩ」という）を表示するよう指示（初期設定ＵＩ表示指示）を入力する（ステップＳ１０１）。
【００３１】
この指示は、一例として、ユーザが、タブレット６が備えるＵＩのメニュー画面の初期設定ボタン（図示せず）をタッチすることで入力する。タブレット６の制御部６１は、タッチパネル６５を介して、初期設定ＵＩ表示指示を取得する。制御部６１は、一例として、図６（ａ）に示す初期設定ＵＩ１００を表示するようタッチパネル６５に指示する。タッチパネル６５は、初期設定ＵＩ１００を表示部に表示する（ステップＳ１０３）。
【００３２】
初期設定ＵＩ１００は、図６（ａ）に示すように、「１  時計設定」「２  アドレス設定」「３  グループ設定」「４  スケジュール設定」「５  上限調光率／下限調光率設定」などの項目を示すボタンを含むメニューを表示する。ユーザにより、メニュー中のボタンがタッチされると、タッチパネル６５は、制御部６１の制御に基づき、ボタン中に示された項目を実行するためのＵＩを表示する。
【００３３】
ここで、管理者は「５  上限調光率／下限調光率設定」を示すボタンにタッチしたものとする（ステップＳ１０５）。
【００３４】
タッチパネル６５は、タッチパネル６５においてユーザがタッチした位置を検出し、この位置を示す位置情報を制御部６１に通知する。制御部６１は、通知された位置情報に基づき、「５  上限調光率／下限調光率設定」を示すボタンがタッチされ選択されたと判断する。
【００３５】
そして、制御部６１は、一例として図６（ｂ）に示す「５  上限調光率／下限調光率設定」が選択された場合に表示するための認証ＵＩ１２０をタッチパネル６５に表示させる（ステップＳ１０７）。
【００３６】
図６（ｂ）に示すように、認証ＵＩは、パスワードの入力を促す表示、パスワード入力窓１２１、及び、パスワード入力に用いるソフトウェアキーボード１２５を含む。
【００３７】
ここで、パスワードは、予めタブレット６に保持されているものとする（保持されているパスワードを「登録パスワード」という）。また、登録パスワードは、管理者のみが知っているものとする。
【００３８】
管理者は、図７（ａ）に示すように、ソフトウェアキーボード１２５を用いて、パスワード入力窓１２１にパスワード（一例としてパスワード１２２「ｐｑｎｇ−ｉｋ」）を入力する（ステップＳ１１１）。
【００３９】
制御部６１は、ソフトウェアキーボード１２５における管理者によりタッチされた位置から、入力されたパスワードを認識し、パスワード入力窓１２１に表示する。そして、入力されたパスワードが登録パスワードと一致するか否かを判断する（ステップＳ１１３）。
【００４０】
入力されたパスワードと登録パスワードとが一致しない場合（ステップＳ１１３でＮＯ）、パスワードが一致しない旨のエラー表示（図示せず）を行い（ステップＳ１１５）、再度パスワード入力を待つ（ステップＳ１１１）。
【００４１】
入力されたパスワードと登録パスワードとが一致した場合（ステップＳ１１３でＹＥＳ）、制御部６１は、上限調光率及び下限調光率を設定するための制限ＵＩを表示するようタッチパネル６５に指示する（ステップＳ１１７）。図７（ｂ）は、制限ＵＩの一例である制限ＵＩ２００を示す。管理者は、制限ＵＩ２００を用いて、上限調光率及び下限調光率を入力する（ステップＳ１２１）。
【００４２】
制限ＵＩ２００は、図７（ｂ）に示すように、上限調光率設定表示２１０、下限調光率設定表示２３０、登録ボタン２５１及び終了ボタン２５２を含む。
【００４３】
上限調光率設定表示２１０は、上限調光率スライドバー２１１及び調光率表示画像２１５を含む。
【００４４】
上限調光率スライドバー２１１は、調光率範囲画像２２１及び調光率バー画像２２２を備える。調光率範囲画像２２１は、矩形の画像であり、左端が調光率０％、右端が調光率１００％を表している。調光率バー画像２２２は、管理者がドラッグ操作することにより調光率範囲画像２２１上を移動可能になっている。そして、調光率バー画像２２２の位置が、調光率範囲画像２２１を長手方向に内分する比率によって上限調光率が定まる。一例として、調光率バー画像２２２が、調光率範囲画像２２１を長手方向に４：１に内分する場合、上限調光率は８０％を示す。上限調光率スライドバー２１１が示す調光率は、調光率表示画像２１５内に数値で示される。なお、上限調光率の初期値は１００％とする。
【００４５】
下限調光率設定表示２３０は、下限調光率スライドバー２３１及び調光率表示画像２３５を含む。
【００４６】
下限調光率スライドバー２３１は、調光率範囲画像２４１及び調光率バー画像２４２を備える。調光率範囲画像２４１は、矩形の画像であり、左端が調光率０％、右端が調光率１００％を表している。調光率バー画像２４２は、管理者がドラッグ操作することにより調光率範囲画像２４１上を移動可能になっている。そして、調光率バー画像２４２の位置が、調光率範囲画像２４１を長手方向に内分する比率によって下限調光率が定まる。一例として、調光率バー画像２４２が、調光率範囲画像２４１を長手方向に１：４に内分する場合、下限調光率は２０％を示す。下限調光率スライドバー２３１が示す下限調光率は、調光率表示画像２３５内に数値で示される。
【００４７】
ここで、下限調光率は上限調光率以下に設定されるよう制限されるものとする。一例として、上限調光率スライドバー２１１において、調光率バー画像２２２は、下限調光率スライドバー２３１における調光バー画像２４２の位置よりも左端に近い位置には移動できないよう制御される。また、下限調光率スライドバー２３１において、調光率バー画像２４２は、上限調光率スライドバー２１１における調光バー画像２２２の位置よりも右端に近い位置には移動できないよう制御される。
【００４８】
なお、下限調光率の初期値は０％とする。また、上限調光率及び下限調光率の指定の方法は、上限調光率スライドバー２１１及び下限調光率スライドバー２３１のようにスライド式のバーで指定するものに限るものではなく、上限調光率及び下限調光率が指定できれば足りる。例えば、上限調光率及び下限調光率は、ソフトウェアキーボードにより数値を直接入力することで指定するものとしてもよい。
【００４９】
登録ボタン２５１がタッチされると（ステップＳ１２３でＹＥＳ）、制御部６１は、上限調光率スライドバー２１１を用いて指定される上限調光率を上限調光率ＵＬとして、また下限調光率スライドバー２３１を用いて指定される下限調光率を下限調光率ＤＬとして書換可能領域６２ｂに上書きする（ステップＳ１２４）。終了ボタン２５２がタッチされると（ステップＳ１２５でＹＥＳ）、制御部６１は、上限調光率及び下限調光率の設定処理を終了する。
＜１．２．２．一般ユーザによる調光動作＞
図８は、調光率の設定動作の手順を模式的に示す図である。
【００５０】
まず、一般ユーザは、タブレット６に対し、一例として調光動作を行うためのＵＩ（以下「調光ＵＩ」という）を表示するよう指示（調光ＵＩ表示指示）を入力する（ステップＳ３０１）。この指示は、一例として、ユーザが、タブレット６が備えるＵＩのメニュー画面の調光ボタン（図示せず）をタッチすることで入力する。タブレット６の制御部６１は、タッチパネル６５を介して、調光ＵＩ表示指示を取得する。
【００５１】
次に、制御部６１は、ＲＯＭ６２の書換可能領域６２ｂから、上限調光率ＵＬ及び下限調光率ＤＬを読み出す（ステップＳ３０２）。そして、制御部６１は、上限調光率ＵＬを超える調光率、下限調光率ＤＬ未満の調光率が設定できないようになった調光ＵＩを表示するようタッチパネル６５に指示する。タッチパネル６５は、調光ＵＩを表示部に表示する（ステップＳ３０３）。
【００５２】
図９（ａ）は、調光ＵＩの一例（調光ＵＩ３００）を示す。調光ＵＩ３００は、図９（ａ）に示すように、調光設定表示３１０、終了ボタン３１１を含む。
【００５３】
調光設定表示３１０は、器具名３２１、調光率スライドバー３２２、及び調光率表示画像３２３を備える。器具名３２１は、調光の対象となる器具を特定する情報である。器具名３２１は、一例としてＬＦ１である。調光率スライドバー３２２は、調光率範囲画像３４１、調光率バー画像３４２、下限制限画像３４３、上限制限画像３４４を備える。
【００５４】
調光率範囲画像３４１は、矩形の画像であり、左端が調光率０％、右端が調光率１００％を表している。調光率バー画像３４２は、一般ユーザがドラッグ操作することにより調光率範囲画像３４１上を移動可能になっている。そして、調光率バー画像３４２の位置が、調光率範囲画像３４１を長手方向に内分する比率によって調光率が定まる。一例として、調光率バー画像３４２が、調光率範囲画像３４１を長手方向に４：１に内分する場合、上限調光率は８０％を示す。
【００５５】
下限制限画像３４３は、調光率範囲画像３４１における、０％〜下限調光率ＤＬ（％）の範囲に配置される。調光ＵＩ３００において、制御部６１は、調光率バー画像３４２を調光率範囲画像３４１における下限制限画像３４３に重なる位置に動かせないように制御する。これにより、一般ユーザは、調光ＵＩ３００を用いて、調光率を下限調光率ＤＬ未満に設定することができなくなっている。
【００５６】
上限制限画像３４４は、調光率範囲画像３４１における、上限調光率（％）〜１００％の範囲に配置される。調光ＵＩ３００において、制御部６１は、調光率バー画像３４２を調光率範囲画像３４１における上限制限画像３４４に重なる位置に動かせないように制御する。これにより、一般ユーザは、調光ＵＩ３００を用いて、調光率を上限調光率ＵＬを超えるように設定することができなくなっている。
【００５７】
以上説明した調光ＵＩ３００を用いて、一般ユーザが調光率を設定する（ステップＳ３２１）。設定された調光率は、調光率表示画像３２３内に数値として表示される（ステップＳ３２２）。そして、タブレット６は、ゲートウェイ５に対し、調光指示を送信する（ステップＳ３２３）。調光指示は、調光率を変更すべき照明器具の指定、設定すべき調光率を含む。
【００５８】
ゲートウェイ５は、調光指示を受信すると、調光率を変更すべき照明器具（一例としてＬＦ１）に対し、調光指示を送信する（ステップＳ３２４）。ＬＦ１は、調光指示にて指定された調光率で照明を行うよう動作する（ステップＳ３４１）。
【００５９】
一方で、上限調光率、下限調光率の設定がされていない場合（上限調光率が１００％、下限調光率が０％）、制御部６１は、調光ＵＩとして、一例として図９（ｂ）に示す調光ＵＩ３５０をタッチパネル６５に表示させる。
【００６０】
調光ＵＩ３５０は、図９（ｂ）に示すように、調光設定表示３６０及び終了ボタン３６１を含む。調光設定表示３６０は、器具名３７１、調光率スライドバー３７２、及び調光率表示画像３７３を備える。調光率スライドバー３７２は、調光率範囲画像３９１及び調光率バー画像３９２を備える。調光率スライドバー３７２は、調光率スライドバー３２２と比較して、下限制限画像及び上限制限画像を備えていない点が異なり、他は同様である。調光率スライドバー３７２では、上限調光率及び下限調光率について表示する必要がないためである。
＜２．変形例＞
以上、本発明に係る照明システムの実施形態を説明したが、例示した照明システムを以下のように変形することも可能であり、本発明が上述の実施形態で示した通りの照明システムに限られないことは勿論である。
【００６１】
（１）上述の実施形態では、照明を一定の明るさ以上に保つために、調光率を一定以下にできないよう制限していたが、これに限らない。例えば、照度を一定以下にできないように制限してもよい。
【００６２】
この場合、照明システムは、さらに照度センサを備える。そして、ゲートウェイ５は、ＬＦ１を制御して、調光率を０％から１００％まで変化させるとともに、各調光率にした場合の照度を照度センサに測定させる。そして、調光率と照度との対応関係を記憶する。
【００６３】
管理者は、タブレット６を用い、下限調光率に代えて、下限照度を入力する。タブレットは、下限照度を記憶する。タブレット６は、調光率と照度との対応関係に基づき、下限照度に対応する調光率である下限調光率を算出する。そして、タブレット６は、一般ユーザが、調光率を設定する場合に、下限照度に対応する下限調光率未満には設定できないよう制限する。
【００６４】
照明を一定の明るさ以下に保つ場合も同様に、管理者が上限照度を設定し、タブレット６が、上限照度に対応する上限調光率を超えた調光率をユーザが設定できないように制限してもよい。
【００６５】
また、照度に限らず、光度、輝度などのパラメータを用い、明るさを一定の範囲内に制限することとしてもよい。
【００６６】
（２）上述の実施形態では、上限調光率及び下限調光率の設定を行えるユーザを制限するためにパスワード認証を用いたが、ユーザの制限ができれば認証方法は問わない。例えば、指紋認証、顔認証及び光彩認証などの認証方法を用いてもよい。
【００６７】
（３）上述の実施形態では、照明制御システム２は、ゲートウェイ５とタブレット６とで構成することとしたが、これを１つの装置で構成してもよいし、さらに、機能的に分解して３台以上の装置で構成することとしてもよい。
【００６８】
（４）上述の実施形態では、照明システム１において、下限調光率及び上限調光率の双方の制限をすることができるＵＩを用いていたが、いずれか一方の制限が可能なＵＩであってもよい。
【００６９】
（５）上述の実施形態では、調光ＵＩ３００において下限調光率未満に設定できないようにするために下限制限画像３４３を用いていたが、下限調光率未満に設定できないＵＩであれば足りる。たとえば、下限調光率が設定されている場合には、調光率範囲画像３４１の左端が、調光率０％を表すのではなく、下限調光率を表すこととしてもよい。この結果、調光率バー画像３４２を調光率範囲画像３４１の左端まで動かした場合でも、調光率は下限調光率となるので、ユーザが、下限調光率未満の調光率に設定することはできなくなる。また上限調光率についても、下限調光率の場合と同様に構成できる。
【００７０】
（６）上述の実施形態及び各変形例を、部分的に組み合せてもよい。
＜３．補足＞
以下、更に本発明の一実施形態としての照明システムの構成及びその変形例と効果について説明する。
（１）本発明の一実施形態に係る照明システムは、調光可能な照明装置の調光率を制御する照明システムであって、表示部と、ユーザが入力を行うための入力部と、前記表示部に調光率を指示するためのユーザインターフェースを表示させ、ユーザにより入力される前記調光率で調光するよう前記照明装置を制御する制御部とを備え、前記制御部は、前記ユーザインターフェースとして、前記照明装置が調光可能な調光率範囲のうち、所定の下限調光率未満は入力できないユーザインターフェースを表示させることを特徴とする。
【００７１】
この構成により、本発明に係る照明システムは、照明の明るさが一定の明るさ未満に変更されることなく、一定の明るさ以上に保つことができる。
（２）また、前記照明システムは、前記下限調光率を保持する記憶部を備えることとしてもよい。
【００７２】
この構成により、照明システムは、下限調光率を変更した場合であっても変更後の下限調光率を保持できる。
（３）また、前記制御部は、前記下限調光率を指示するためのユーザインターフェースを前記表示部に表示させ、指示された下限調光率を前記記憶部に保持させることとしてもよい。
【００７３】
この構成により、ユーザが容易に下限調光率を変更できる。
（４）また、前記下限調光率は、所定の特権ユーザのみが入力できるようセキュリティ保護されていることとしてもよい。
【００７４】
この構成により、下限調光率を変更可能なユーザを制限することができる。
（５）また、前記セキュリティ保護は、パスワードによる保護であるとしてもよい。
【００７５】
この構成により、下限調光率を変更可能なユーザを制限することができる。
（６）また、前記記憶部に保持された下限調光率は書き換え不能であることとしてもよい。
【００７６】
この構成により、例えば、製造時など最初に書き込まれた下限調光率を常に使用するように制限することができる。
（７）また、前記照明システムは、前記照明装置を前記調光率で調光するよう制御する第１制御部を備える制御装置と、前記表示部、前記入力部、及び、前記表示部に調光率を指示するためのユーザインターフェースを表示させ、入力された調光率を前記制御装置に送信する第２制御部を備える照明制御端末とを備えることとしてもよい。
【００７７】
この構成により、照明システムの制御を複数の装置で分担することができる。
（８）本発明の一実施形態に係る照明制御端末は、調光可能な照明装置の調光率を制御するための照明制御端末であって、表示部と、ユーザが入力を行うための入力部と、前記表示部に調光率を指示するためのユーザインターフェースを表示させる制御部とを備え、前記制御部は、前記ユーザインターフェースとして、前記照明装置が調光可能な調光率範囲のうち、所定の下限調光率未満は入力できないユーザインターフェースを表示させる。
【００７８】
この構成により、本発明に係る照明制御端末は、照明の明るさが一定の明るさ未満に変更されることなく、一定の明るさ以上に保つことができる。
【符号の説明】
【００７９】
１      照明システム
２      照明制御システム
５      ゲートウェイ
６      タブレット
４１    光源部
４３    回路部
４４    ＷＭ部
４４ａ  無線部
４４ｂ  制御部
５１    無線通信部
５２    有線通信部
５３    制御部
６１    制御部
６４    通信部
６５    タッチパネル
ＵＬ    上限調光率
ＤＬ    下限調光率
ＬＦ１〜ＬＦ１００    照明装置
【図１】
2019087387.tif 000003
【図２】
2019087387.tif 000004
【図３】
2019087387.tif 000005
【図４】
2019087387.tif 000006
【図５】
2019087387.tif 000007
【図６】
2019087387.tif 000008
【図７】
2019087387.tif 000009
【図８】
2019087387.tif 000010
【図９】
2019087387.tif 000011